(57)【要約】【課題】乗物用搭載電子システム、乗物マルチメディアシステム、および搭載電子システムの好適な設定方法を提供する。【解決手段】本発明は複数のパラメータとパラメータの特定の値を選択する複数の操作要素を有する操作モジュールを備え、操作モジュールの少なくとも１つの操作要素を操作させて値とパラメータがアドレスされる、乗物の搭載電子システムを設定する方法に関する。また、本発明は操作モジュールを操作させてユーザがアドレスすることを希望する特定のパラメータまたはパラメータの特定の値を決定し、少なくとも１つの操作要素に該パラメータまたは該値を割り当てる設定手段であって、それによって、割り当てられた少なくとも１つの操作要素が作動されるとき、該パラメータまたは該値がアドレスされる、設定手段をさらに備える。【選択図】図２
2006117237.tif 000002
【特許請求の範囲】
【請求項１】
乗物の搭載電子システム（１００）を設定する方法において、該電子システムは、複数のパラメータのうちの１つのパラメータと該パラメータの特定の値とを選択する複数の操作要素（１２０〜１５０）を有する操作モジュール（１０１）を備え、該値と該パラメータは、該操作モジュールの少なくとも１つの操作要素を操作することによってアドレスされ、該方法は、
該操作モジュール（１０１）を操作させてユーザがアドレスすることを希望する特定のパラメータまたは該パラメータの特定の値を決定するステップと、
少なくとも１つの操作要素に該パラメータまたは該値を割り当て、それによって、割り当てられた少なくとも１つの操作要素が操作されるとき、該パラメータまたは該値がアドレスされるステップと、
を包含する方法。
【請求項２】
前記ユーザは、前記パラメータまたは前記値、および少なくとも１つの操作要素への該パラメータまたは該値の割り当てが決定される設定動作モードに入る、請求項１に記載の方法。
【請求項３】
前記電子システムの異なるパラメータおよび値がアドレスされ編集されるメニューに入るステップと、
前記パラメータまたは前記パラメータの値を選択するステップと、
前記操作モジュールを操作させてユーザがアドレスすることを希望する前記パラメータまたは前記値を選択するステップと、
をさらに包含する、請求項１または２に記載の方法。
【請求項４】
前記割り当てられた少なくとも１つの操作要素が操作されたとき、前記パラメータまたは前記値がアドレスされる動作モードを選択するステップをさらに包含する、請求項１から３のうちのいずれか一項に記載の方法。
【請求項５】
どの操作要素またはどの操作要素の組合せが、前記パラメータまたは前記パラメータの前記値をアドレスするために利用可能かをユーザに通知するステップであって、該ユーザが、該パラメータまたは該パラメータの該値をアドレッシングするための１つの操作要素または該操作要素の組合せを選択する、ステップをさらに包含する、請求項１から４のうちのいずれか一項に記載の方法。
【請求項６】
利用可能な操作要素をユーザに通知するステップが、
割り当てられた動作モードにおいて、操作したとき、パラメータもパラメータの値もアドレスしない操作要素と、少なくとも２つの操作デバイスが同じパラメータまたは該パラメータの同じ値をアドレスする操作デバイスと、該パラメータの１つまたは該パラメータの値の１つをすでにアドレスする操作デバイスとをユーザに通知するステップであって、パラメータまたは該パラメータの該値へのアドレスに使用することを該ユーザが希望する該操作要素または該操作要素の組合せを、該ユーザが決定する、ステップを包含する、請求項５に記載の方法。
【請求項７】
前記操作要素を操作させるどのような可能な操作方法があるかを各操作デバイスについてユーザに通知するステップであって、該ユーザが、前記パラメータまたは前記パラメータの値をアドレスするために該操作要素または該操作要素の組合せをどのように操作させるべきかユーザが決定する、ステップをさらに包含する、請求項５または６に記載の方法。
【請求項８】
前記少なくとも１つの操作要素にパラメータが割り当てられたとき、前記パラメータの少なくとも一部の可能な値を表示するステップをさらに包含する、請求項１から７のうちのいずれか一項に記載の方法。
【請求項９】
前記操作モジュールが、前記アドレスされたパラメータまたは値を選択するためにユーザによって決定された方法で操作されたとき、選択したパラメータまたは値で実行される操作を決定するステップをさらに包含する、請求項１から８のうちのいずれか一項に記載の方法。
【請求項１０】
ユーザが、前記操作モジュールを操作させてユーザがアドレスすることを希望する前記パラメータまたは前記パラメータの値を決定したとき、該パラメータまたは該値をどのようにアドレスすべきか規定するために、そのユーザが前記操作要素または操作要素の組合せを所定の方法で押す、請求項３から９のうちのいずれか一項に記載の方法。
【請求項１１】
複数のパラメータの１つのパラメータと該パラメータの特定の値を選択する複数の操作要素を有する操作モジュールを備え、該操作モジュールの少なくとも１つの操作要素を操作させて該値と該パラメータがアドレスされる、乗物用搭載電子システムにおいて、
該操作モジュールを操作させてユーザがアドレスすることを希望する特定のパラメータまたは該パラメータの特定の値を決定し、少なくとも１つの操作要素に該パラメータまたは該値を割り当てる設定手段であって、それによって、割り当てられた少なくとも１つの操作要素が操作されるとき、該パラメータまたは該値がアドレスされる、設定手段を
備えることを特徴とする、電子システム。
【請求項１２】
前記パラメータおよびマルチメディアシステムの前記パラメータおよび前記値をアドレスし編集できるメニューが表示されるディスプレイをさらに備えることを特徴とする、請求項１１に記載の電子システム。
【請求項１３】
オーディオモジュール、遠距離通信モジュール、ラジオモジュール、およびナビゲーションモジュールのうちの少なくとも１つをさらに備え、前記パラメータが該モジュールの異なる特徴であることを特徴とする、請求項１１または１２に記載の電子システム。
【請求項１４】
請求項１から１０のいずれか一項に記載の方法にしたがって機能することを特徴とする、請求項１１から１３のいずれか一項に記載の電子システム。
【請求項１５】
請求項１１から１４のいずれか一項に記載の搭載電子システムを備える乗物マルチメディアシステム。
【発明の詳細な説明】
【技術分野】
【０００１】
本発明は、乗物用搭載電子システム、マルチメディアシステム、および乗物の搭載電子システムを設定（ｃｏｎｆｉｇｕｒｅ）するための方法に関する。本発明は、特にユーザによって設定可能である乗物のマルチメディアシステムに関する。
【背景技術】
【０００２】
現在、乗物の電子システム（例えばマルチメディアシステムまたはナビゲーションシステム）は、ユーザのために様々な機能や特徴（ｆｅａｔｕｒｅ）を有するので、複雑になってきている。多くの場合、これらの電子システムは、異なるラジオ放送局を聴くためのラジオモジュール、ＣＤやテープを聞くためのオーディオモジュール、所定の目的地へ運転手を導くためのナビゲーションモジュール、および／または、携帯電話を組み入れた遠距離通信モジュールを含む。過去の電子システムは、一つか二つのモジュール（例えば、ラジオモジュールおよびオーディオモジュール）を含んでいた。異なるモジュールの機能の一つをアドレスするために、電子システムの操作モジュール（ｏｐｅｒａｔｉｎｇ  ｍｏｄｕｌｅ）は、それぞれの特徴のための操作ボタンを含んでいた。今日、これらの電子システムは、さらに複雑になっており、電子システムの制御は、ディスプレイに表示されたメニュー構造によってなされる。異なる特徴またはパラメータをアドレスするために、および、異なるパラメータの一つの特定の値をアドレスするために、メニューは組み込まれるべきであり、ディスプレイにおいて表されたアイテムは、そのアイテムおよびそれの対応するパラメータまたは電子システムの特徴をアドレスするために選択されるべきである。結果として、電子システムの操作は複雑になり、異なるステップが、電子システムの一つのパラメータをアドレスするために実行されなければならない。
【０００３】
さらに、パラメータの一部は、操作モジュールの二つの異なる操作要素にアドレスされ得る。例えば、一部のマルチメディアシステムにおいて、操作モジュールに提供されたターンボタンを回すことによって、および、操作モジュールに提供されたロッカーモジュールを始動させることによって、ラジオ動作モードでの周波数を変えることが可能である。結果として、ユーザは、その人自身のために、パラメータやパラメータ値をアドレスする方法を定義することを望み得、不必要な操作要素の一つの使用を再定義する可能性を持つべきである。
【発明の開示】
【課題を解決するための手段】
【０００４】
それゆえ、所定の方法において、操作モジュールを操作することによって電子システムの任意のパラメータをアドレスする可能性を提供ための要求がある。ユーザは、操作要素が、一つの特定のパラメータまたはパラメータの一つの特定の値をアドレスし、および、セットするために、操作されるべきである方法を決定することができるべきである。
【０００５】
これらの要求は、独立請求項にしたがった方法およびシステムによって満たされる。従属請求項において、本発明の好まれる実施形態が記述される。
【０００６】
本発明の第１の局面に従い、乗物のための搭載電子システムが提供され、その搭載電子システムは、複数のパラメータのうちの一つのパラメータおよび該パラメータの特定の値を選択するための複数の操作要素（ｏｐｅｒａｔｉｎｇ  ｅｌｅｍｅｎｔ）を有する操作モジュール（ｏｐｅｒａｔｉｎｇ  ｍｏｄｕｌｅ）を含み、その値とパラメータは、操作モジュールの少なくとも一つの操作要素を操作することによってアドレスされる、システムである。搭載電子システムは、さらに、操作モジュールを操作することによって、ユーザがアドレスしたい該パラメータの特定のパラメータまたは特定の値を決定するための設定手段を含む。設定手段は、割り当てられた少なくとも一つの操作要素が始動された場合、該パラメータまたは該値がアドレスされるように、さらに、少なくとも一つの操作要素に、該パラメータまたは該値を割り当てる。その設定手段は、一つまたは複数の操作要素が始動された場合（後者もまたユーザによって決定される）、どのパラメータまたはどのパラメータ値がアドレスされるかをユーザが定義する可能性を提供する。ユーザは、電子システムの特定のパラメータまたは特定の値をアドレスするためにショートカットを決定することができる。当状況において、タームパラメータは電子システムの特徴または機能（例えば、ラジオ動作モードにおける周波数、周波数帯域、ボリューム、オーディオモードにおけるＣＤのトラック数、など）を示す。これらの全てのパラメータは異なる値を有する。周波数が定義されたパラメータである場合、ラジオ放送局の異なる周波数の値は特定の値であり、その周波数帯域がそのパラメータである場合、その個々の値は、例えば、非常に高い周波数帯域、中波帯域、および低波帯域である。本発明にしたがって、ユーザは、定義されたショートカットを手短に使うことによって、任意のパラメータまたは任意のパラメータ値をアドレスし、および選択する可能性を有する。ユーザが、動作モードの一つにおいて、所定のパラメータを多く使用したい場合で、電子システムの設計者によって提供されたように、一つの操作ステップによって、このパラメータがアドレスされ得ると想定されていない場合であっても、ユーザは、ユーザが編集したいパラメータを示すアイテムを選択するために、メニューを開くことも、メニューを介してスクロールすることも必要ない。その代わり、ユーザは、パラメータがアドレスされ得る操作要素を選択することができる。
【０００７】
本発明の更なる局面にしたがって、乗物の搭載電子システムのための方法が提供され、その電子システムは、複数のパラメータおよび該パラメータの特定の値を選択するための複数の操作要素を有する操作モジュールを含み、その値およびパラメータは、操作モジュールの少なくとも一つの操作要素（または操作要素の組み合わせ）を操作することによってアドレスされる、方法である。その方法は、ユーザが操作モジュールを操作することによってアドレスしたい、特定のパラメータまたはパラメータの特定の値を決定するステップを含む。パラメータに付け加えて、ユーザは、該パラメータまたは該値が、割り当てられた操作要素を始動された場合にアドレスされるように、該パラメータまたは該値に少なくとも一つの操作要素を割り当てることによって、選択されたパラメータがアドレスされ得る方法を決定することができる。ユーザは、任意のパラメータまたは任意のパラメータ値を、任意の操作要素に割り当てることができ、ユーザに電子システムをカスタマイズすることができる可能性を与える。
【０００８】
本発明のさらなる局面にしたがって、ユーザは、該パラメータまたは該パラメータ値、および、パラメータの割り当てまたは少なくとも一つの操作要素への値が決定される、設定動作モードを組み込む。設定動作モードにおいて、ユーザは、電子システムがシステムの異なるパラメータの一つをアドレスするために操作されるべき方法を定義することができる。
【０００９】
電子システムはさらに、マルチメディアシステムのパラメータおよびその値がアドレスされ得、編集され得、メニューが表示されるディスプレイを含み得る。ユーザ定義設定のために、ユーザはディスプレイに表示されたメニューを組み込み得、異なるパラメータおよび電子システムの値がアドレスされ得、編集され得る。メニューをスクロールすることによって、ユーザは、その人がアドレスしたいパラメータまたはパラメータ値を選択することができる。次のステップにおいて、ユーザは、所定の方法において操作モジュールを操作することによって、ユーザがアドレスしたいパラメータまたはパラメータ値を選択し得る。選択されたパラメータまたは値が、特定の操作要素または操作要素の特定の組み合わせを使用することによってアドレスされるべきパラメータとして選ばれたことを電子システムに通知するために、ユーザは、所定の操作要素を、とりわけ所定の時間量、押し得る。例えば、ユーザが選択したいパラメータがディスプレイに示されている場合、および、パラメータを示すアイテムがマークされている場合、このアイテムがアドレスされ得ることをユーザが知ることができるように、ユーザは、所定の時間量、ボタンを押し得る。システムはそれゆえ、このパラメータまたは値がユーザ定義の方法においてユーザによってアドレスされ、選択されたことを「知る」。
【００１０】
本発明のさらなる局面に従い、割り当てられた少なくとも１つの操作モジュールが操作されるときに、パラメーターまたは値がアドレスされる動作モードが選択され得る。ユーザーは、どの動作モードにおいて、事前に選択されたパラメーターまたは値がユーザー定義操作要素を用いてアドレスされ得るのかを決定し得る。ユーザーは、特定のパラメーターをアドレスするための特定のユーザー定義操作要素の操作はたとえばラジオ動作モードにおいて操作されるのみであるべきだと望み得る。さらに、ユーザーは、すべての動作モードにおいてユーザー定義操作モジュールの操作を用いることを望み得る。ユーザーが所定の方法で操作モジュールを操作するときはいつでも、パラメーターは動作モードとは無関係にアドレスされる。動作モードにしたがってユーザー定義パラメーターを操作させるためにユーザー定義操作要素の使用を可能にすることによって、ユーザーは、ユーザーの希望にしたがって電子システムをいっそうさらに適応することができる。たとえば、所定のボタンを押すときは、ユーザーが、周波数帯域をスキャンすることを望み得るか、または、一つのラジオ局から次のラジオ局に飛び越すのを望み得るか、または、所定のラジオ局の選択を望み得る。しかしながら、これはラジオ動作モードにおいて可能であるのみであるべきである。システムが、ナビゲーション動作モードで作動している場合、動作モードの作動は同じ結果をもたらさないはずであり、たとえば、所定のラジオ局は起動されるべきではない。
【００１１】
本発明のさらなる局面に従い、ユーザーは、ユーザーが事前に選択したパラメーターまたはパラメータの値をアドレスするためにどの操作要素またはどの操作要素の組み合わせが利用可能であるかを知らされる。ユーザーはそれから、パラメーターまたはパラメーターの値をアドレスするために、一つの操作要素または一つの操作要素の組み合わせを選択する。値またはパラメーターが決定されると、異なる操作要素を用いて操作モジュールを操作する方法が決定されなければならない。
【００１２】
本発明のさらなる局面に従い、利用可能な操作要素のユーザーへの通知ステップは、操作要素のユーザーに、割り当てられた動作モードにおいて、操作しているときに、どれがパラメーターまたはパラメーター値をアドレスしないかを知らせるステップを包含する。つまり、システムは、割り当てられた動作モードにおいて機能を持たない操作要素を表示する。さらに、操作要素は、少なくとも２つの操作装置が同じパラメーターまたは同じパラメーターの値をアドレスするところで表示される。一部の動作モードにおいて、同じパラメーターまたは同じ特徴は２つの異なる操作要素によってアドレスされ得て、冗長な操作要素が存在するようになる。この冗長な操作要素は、電子システムの別のパラメーターまたは別の特徴をアドレスするために用いられ得る。さらに、ユーザーは、パラメーターの一つまたはパラメーターの値の一つをすでにアドレスした操作要素を通知される。ユーザーは、電子システムの設計者によって設計されたように一つの特定の機能をすでにアドレスした操作装置を通知され、また、ユーザー定義操作装置を通知される。ユーザー定義操作要素を表示することによって、ユーザーは割り当てられたパラメーターを上書きすることができる。最後に、ユーザーは、パラメーターまたはパラメーターの値をアドレスするためにユーザーが使用したい操作要素または操作要素の組み合わせを決定する。しかしながら、新しいパラメーターが割り当てられることが不可能な鍵が存在するようにシステムを設定することもまた可能である。電子システムの設計者は、システムの機能を確実にするために新しいパラメーターが特定の操作要素（たとえば、オンオフの操作要素）に割り当てられることが不可能であるように、システムを設定することができる。
【００１３】
ユーザーが、特定のパラメーターをアドレスするために使用したい操作装置を選択した場合、ユーザーはさらに、操作要素はどのような操作可能な方法を有するのか知らされ、ユーザーは、パラメーターまたはパラメーターの値をアドレスするために、どのようにその操作要素または操作要素の組み合わせが操作されるべきかを決定する。たとえば、特定の機能をアドレスするために選択された操作要素がボタンの場合、そのボタンは短く押されるか、長く押されるか、２回押され得る。ユーザーはそれから、特定のパラメーターをアドレスするために、操作要素がどのように操作されるべきかを定義しなければならない。
【００１４】
本発明のさらなる局面に従い、方法は、パラメーターが少なくとも一つの操作要素に割り当てられた場合に、少なくとも一部のパラメーターの可能な値を表示するステップをさらに包含する。ユーザーは、操作要素がユーザーによって定義されたように操作される場合、パラメーターはアドレスされるべきか否か、または、パラメーターの値はアドレスされるべきか否かを選択することができる。パラメーターをアドレスするが、その値の一つをアドレスしないとユーザーが決定した場合、システムは可能な値の一部、または可能なすべての値を表示し得る。これは次の例によって示される。ユーザーが、所定の操作要素を押すことにより、パラメーター周波数またはパラメーターラジオ局をアドレスして選択することを決定した場合、システムは周波数またはラジオ局が編集され得る動作モードにフックされるように設定され得る。値を編集するために、値は表示され得る。ユーザーは、所定の操作要素を押した場合に、周波数帯域における可能な周波数が表示されると定義し得た。周波数が表示される場合、ユーザーは、所定の操作要素を操作することによって、または別の操作要素を操作することによって、周波数帯域をスキャニングをする可能性があり得る。しかしながら、操作モジュールが所定の方法で操作された場合に、特定のラジオプログラムが放送される特定の周波数が選択されるようにユーザーがシステムを設定した場合、ユーザーはすでに値を選択したことになる。
【００１５】
本発明のさらなる実施形態に従い、アドレスされたパラメーターを選択するため、ユーザーによって操作モジュールが所定の方法で操作される場合、電子システムが実行する動作が決定され得る。これは次の例によって説明される。ユーザーは、２つの可能な値を備えるパラメーターを選択し得る。その値は、アドレスされたパラメーターを選択するためにユーザーによって決定された方法で操作モジュールが操作される場合にアドレスされる。パラメーターが２つの可能な値のみを有する場合、ユーザーは所定の操作装置または装置を操作するための所定の組み合わせを押すときはいつでも、ユーザーはその値をトグルすることを望み得る。電子システムが実行する動作を決定するために、ユーザーは、パラメーターを選択したいだけなのか、パラメーターを編集したくてその値を変えるのかを定義しなければならない。値をトグルする代わりに、ユーザーはまた常に、パラメーターの機能を可能にするかまたは不可能にするかを望み得る。選択されたパラメーターが交通チャンネルである場合、ユーザーはまた、所定の操作要素が作動している場合に、交通チャンネルの検索が常に可能にされるかまたは不可能にされるようにシステムを設定し得る。
【００１６】
本発明のさらなる局面に従い、少なくとも一つの操作要素に対するパラメーターまたは値の割り当てはまた次のように成される。つまり、操作モジュールを操作することによってユーザーがアドレスしたいパラメーターまたはパラメーターの値を決定した場合、ユーザーはまた、どのようにパラメーターまたは値がアドレスされるべきかを定義するために所定の方法で操作要素または操作要素の組み合わせを押し得る。そのパラメーターをアドレスするために意図されたように操作することによって、ユーザーはパラメーターを操作要素に割り当てる。
【００１７】
本発明のさらなる局面に従い、電子システムは、少なくとも、オーディオモジュール、通信モジュール、ラジオモジュール、ナビゲーションモジュール、異なるモジュールの異なると特徴または機能を表すパラメーターを備える。
【００１８】
本発明のさらなる局面に従い、本発明は、上記されたような搭載電子システムを備える乗物マルチメディアシステムに関係する。
【００１９】
本発明は、さらに以下の手段を提供する。
【００２０】
（項目１）
乗物の搭載電子システム（１００）を設定する方法において、該電子システムは、複数のパラメータのうちの１つのパラメータと該パラメータの特定の値とを選択する複数の操作要素（１２０〜１５０）を有する操作モジュール（１０１）を備え、該値と該パラメータは、該操作モジュールの少なくとも１つの操作要素を操作することによってアドレスされ、該方法は、
該操作モジュール（１０１）を操作させてユーザがアドレスすることを希望する特定のパラメータまたは該パラメータの特定の値を決定するステップと、
少なくとも１つの操作要素に該パラメータまたは該値を割り当て、それによって、割り当てられた少なくとも１つの操作要素が作動（ａｃｔｉｖａｔｅｄ）されるとき、該パラメータまたは該値がアドレスされるステップと、
を包含する方法。
【００２１】
（項目２）
上記ユーザは、上記パラメータまたは上記値、および少なくとも１つの操作要素への該パラメータまたは該値の割り当てが決定される設定動作モード（ｃｏｎｆｉｇｕｒａｔｉｏｎ  ｏｐｅｒａｔｉｎｇ  ｍｏｄｅ）に入る、項目１に記載の方法。
【００２２】
（項目３）
上記電子システムの異なるパラメータおよび値がアドレスされ編集されるメニューに入るステップと、
上記パラメータまたは上記パラメータの値を選択するステップと、
上記操作モジュールを操作させてユーザがアドレスすることを希望する上記パラメータまたは上記値を選択するステップと、
をさらに包含する、項目１または２に記載の方法。
【００２３】
（項目４）
上記割り当てられた少なくとも１つの操作要素が操作されたとき、上記パラメータまたは上記値がアドレスされる動作モードを選択するステップをさらに包含する、項目１から３のうちのいずれか一項に記載の方法。
【００２４】
（項目５）
どの操作要素またはどの操作要素の組合せが、上記パラメータまたは上記パラメータの上記値をアドレスするために利用可能かをユーザに通知するステップであって、該ユーザが、該パラメータまたは該パラメータの該値をアドレッシングするための１つの操作要素または該操作要素の組合せを選択する、ステップをさらに包含する、項目１から４のうちのいずれか一項に記載の方法。
【００２５】
（項目６）
利用可能な操作要素をユーザに通知するステップが、
割り当てられた動作モードにおいて、操作したとき、パラメータもパラメータの値もアドレスしない操作要素と、少なくとも２つの操作デバイスが同じパラメータまたは該パラメータの同じ値をアドレスする操作デバイスと、該パラメータの１つまたは該パラメータの値の１つをすでにアドレスする操作デバイスとをユーザに通知するステップであって、パラメータまたは該パラメータの該値へのアドレスに使用することを該ユーザが希望する該操作要素または該操作要素の組合せを、該ユーザが決定する、ステップを包含する、項目５に記載の方法。
【００２６】
（項目７）
上記操作要素を操作させるどのような可能な操作方法があるかを各操作デバイスについてユーザに通知するステップであって、該ユーザが、上記パラメータまたは上記パラメータの値をアドレスするために該操作要素または該操作要素の組合せをどのように操作させるべきかユーザが決定する、ステップをさらに包含する、項目５または６に記載の方法。
【００２７】
（項目８）
上記少なくとも１つの操作要素にパラメータが割り当てられたとき、上記パラメータの少なくとも一部の可能な値を表示するステップをさらに包含する、項目１から７のうちのいずれか一項に記載の方法。
【００２８】
（項目９）
上記操作モジュールが、上記アドレスされたパラメータまたは値を選択するためにユーザによって決定された方法で操作されたとき、選択したパラメータまたは値で実行される操作を決定するステップをさらに包含する、項目１から８のうちのいずれか一項に記載の方法。
【００２９】
（項目１０）
ユーザが、上記操作モジュールを操作させてユーザがアドレスすることを希望する上記パラメータまたは上記パラメータの値を決定したとき、該パラメータまたは該値をどのようにアドレスすべきか規定するために、そのユーザが上記操作要素または操作要素の組合せを所定の方法で押す、項目３から９のうちのいずれか一項に記載の方法。
【００３０】
（項目１１）
複数のパラメータの１つのパラメータと該パラメータの特定の値を選択する複数の操作要素を有する操作モジュールを備え、該操作モジュールの少なくとも１つの操作要素を操作させて該値と該パラメータがアドレスされる、乗物用搭載電子システムにおいて、
該操作モジュールを操作させてユーザがアドレスすることを希望する特定のパラメータまたは該パラメータの特定の値を決定し、少なくとも１つの操作要素に該パラメータまたは該値を割り当てる設定手段であって、それによって、割り当てられた少なくとも１つの操作要素が作動（ａｃｔｉｖａｔｅｄ）されるとき、該パラメータまたは該値がアドレスされる、設定手段を
備えることを特徴とする、電子システム。
【００３１】
（項目１２）
上記パラメータおよびマルチメディアシステムの上記パラメータおよび上記値をアドレスし編集できるメニューが表示されるディスプレイをさらに備えることを特徴とする、項目１１に記載の電子システム。
【００３２】
（項目１３）
オーディオモジュール、遠距離通信モジュール、ラジオモジュール、およびナビゲーションモジュールのうちの少なくとも１つをさらに備え、上記パラメータが該モジュールの異なる特徴であることを特徴とする、項目１１または１２に記載の電子システム。
【００３３】
（項目１４）
項目１から１０のいずれか一項に記載の方法にしたがって機能することを特徴とする、項目１１から１３のいずれか一項に記載の電子システム。
【００３４】
（項目１５）
項目１１から１４のいずれか一項に記載の搭載電子システムを備える乗物マルチメディアシステム。
【００３５】
（摘要）
乗物用搭載電子システム、乗物マルチメディアシステム、および搭載電子システムの設定方法を提供する。本発明は複数のパラメータと該パラメータの特定の値を選択する複数の操作要素を有する操作モジュールを備え、操作モジュールの少なくとも１つの操作要素を操作させて値とパラメータがアドレスされる、乗物の搭載電子システムを設定する方法に関する。また、本発明は操作モジュールを操作させてユーザがアドレスを希望する特定のパラメータまたはパラメータの特定の値を決定し、少なくとも１つの操作要素に該パラメータまたは値を割り当てる設定手段であって、それによって、割り当てられた少なくとも１つの操作要素が作動されるとき、パラメータまたは値がアドレスされる、設定手段をさらに備える。
【発明を実施するための最良の形態】
【００３６】
本発明に従う、操作要素のユーザー定義設定のための方法およびシステムは、添付の図を参照する実施例として記載される。
【００３７】
図１を説明すると、搭載電子システム１００が示される。このコンテクストにおいて、搭載電子システムはマルチメディアシステムであり、通常、車のダッシュボードに組み込まれる。図１の電子システムは、ラジオモジュール、オーディオモジュール、ナビゲーションモジュール、通信モジュールなどのような異なるモジュールを備える。異なるモジュールの異なる動作モードを可能にするために、電子システム１００は操作モジュール１０１を電子システムの正面に備え、操作要素１１１〜１１４は、本実施例においてはプレスボタンとして実行される。操作要素１１１はラジオ動作モードを開始するために用いられ、ボタン１１２はオーディオ動作モードを開始するために用いられ、ボタン１１３は運転手が所定の目的地へ向かうべき場合に押され、ボタン１１４は通信動作モードを開始するのに押される。さらに、ボタン１１０および１１５は、電子システム１００をオンにし、たとえば、ナビゲーションまたはオーディオモードで用いられ得るＣＤ  ＲＯＭまたはＤＶＤのような格納システム、本実施例には示されないが格納媒体を導入するためのスリットをイジェクトするために提供される。
【００３８】
システムはさらに２つの組み合わされた操作要素１２０および１３０を備え得る。これらの操作要素は組み合わされた回転プレスボタン１２０および１３０として設計される。これらのボタンは、要素１２０および１３０をそれぞれ押すために用いられ得る第１の部分１２１および１３１を備える。さらに、部分１２２および１３２が提供され、要素を回転するのに用いられ得る。
【００３９】
さらに、ロッカー要素１４０およびボタン１５０が提供される。これらすべての操作要素は、操作されているときに、電子システムの特定のパラメーターまたは特定のパラメーターの値をアドレスする。アドレスされたパラメーターは、動作モードで電子システム１００が操作している事実に依存する。たとえば、ラジオ動作モードでシステムが動作しているときに、ロッカー要素１４０が用いられ得て周波数帯域をスキャンする。
【００４０】
さらに、ディスプレイ１６０が示され、ユーザーに電子システムの現在の状態を知らせる。示される実施形態において、ディスプレイは、第１のアイテム１６１（メニューアイテムと呼ばれる）および第２のアイテム１６２を備える。示される実施形態において、アイテム１６２は、現在、オーディオＣＤのトラック１が再生されていることをユーザーに知らせる。メニューアイテム１６１によって、電子システムのすべての異なるパラメーター、特徴、機能が編集され得るメニューを入力するのに役立つ。メニューを入力し、示される異なるアイテムをスクロールすることで、メニューが入力される場合、ユーザーは電子システム１００の異なるパラメーターを定義し、選択し得る。電子システムは、ディスプレイ１６０に示されるより多くのアイテムを備え得るかまたは、システムが動作する動作状態をユーザーに知らせる別の方法を備え得ることが理解されるべきである。さらに、システムは、完全に異なる方法においても操作され得る他の多くの操作要素を備え得ることが理解されるべきである。
【００４１】
図１に示されるすべての操作要素は、システム１００が動作する動作モードに依存して異なるパラメーターをアドレスし得る。たとえば、音量を制御するのに用いられ得る回転プレスボタン１２０のラジオまたはオーディオモード部分１２２が操作しているとき、右の回転プレスボタン１３０はメニューを入力し、システムおよびパラメーターを編集するのに用いられる。異なる動作モードにおいて、いくつかの操作要素もまた冗長的方法で用いられる。たとえば、ラジオ動作モードにおいて、ロッカー要素１４０または部分１３２のいずれかを操作することによって周波数帯域がスキャンされ得て、選択された周波数を変える。このように、一つのパラメーターまたはパラメーターの一つの値が２つの異なる操作要素に関連している場合が存在し得る。その結果、ユーザーは操作要素の一つの使用の再定義を望み得て、操作要素を操作することによってシステムの別のパラメーターがアドレスされるようにする。
【００４２】
図２においては、ユーザー決定された方法で電子システムを設定する異なるステップを含むフローチャートが示される。そのようにするためには、本発明の第１の実施形態にしたがって、ユーザーが、図１のアイテム１６１において示されるメニューに入り得、所定の方法（ステップ２１０）で操作要素を操作することによって、アドレスしたいと思うパラメータを選択し得る（例えば、ユーザーは、特定のラジオプログラムを含む特定の周波数をアドレスすることを望み得る）。そうするためには、ユーザーはメニューを経由し得、ラジオプログラムのアイテムを選択し得、システム中に格納された受信されたラジオプログラムのリストからラジオプログラムを選択し得る。
【００４３】
第２のステップ２２０では、ユーザーはコンテキスト（ｃｏｎｔｅｘｔ）を定義し得、そのコンテキスト中では、ステップ２１０で選択されたパラメータが、ユーザー定義されたキーによりアドレスされ得る。ステップ２２０では、ユーザーは、システムが、動作モードから独立して、選択されたパラメータをアドレスすべきかどうか（例えば、すべての場合において）、またはパラメータが特定の動作モードにおいてアドレスのみされるべきかどうかを定義し得る。本実施例において、このことは、システムがラジオ動作モードで働いている場合にのみ、ユーザーが特定のラジオプログラムをアドレスすることを望み得ることを意味する。しかし、システムがラジオ動作モードまたはナビゲーション動作モードにおいて働いている場合、ユーザーが次のステップにおいて説明するように所定の方法で操作モジュールを押した場合、ユーザーは上記ラジオプログラムをアドレスすることを選択もし得る。
【００４４】
ユーザーがどの動作モードでどのパラメータをアドレスするべきかを決定した場合、このシステムは、ステップ２３０において、ユーザーが選択し得る利用可能な操作要素またはステップ２１０において選択されたパラメータをアドレスする操作要素を表示する。ステップ２４０において、ユーザーは次いで操作要素、または使用される場合はにステップ２２０において選択されたパラメータをアドレスする操作要素の組合せを選択する。上記の例において、これは、ユーザーがラジオプログラムを選択し得るように、ユーザーが、ステップ２２０において選択されたラジオプログラムがどのようにアドレスされるべきかを決定することを意味する。
【００４５】
ステップ２５０においては、ユーザーは、選択パラメータにより何がなされるべきかを定義する必要がある。これは、次の実施例によって示される。ステップ２１０において、ユーザーが特定のラジオプログラムを選択した場合、および上記ラジオプログラムをアドレスするように使用されるべき操作要素の決定後に、ユーザーが、選択されたラジオプログラムを用いて何をすべきかを定義する必要がある。このユーザーは、電子システムのスピーカーで放送されるように、ラジオプログラムを選択することを望み得、ユーザーは選択されたラジオプログラムが、交通情報を得るためのプログラムとして使用されることも望み得、またはラジオプログラムは、フィルターをかけるために使用され得もする（これらに限られない）。要約すると、ユーザーは、選択されたパラメータを用いてすべきことをステップ２５０において定義する必要がある。動作モードの選択前、ステップ２１０後に、ステップ２５０を直接的に実行すべきであることを理解すべきである。選択されたパラメータが異なる値を有するかどうか、または選択されたパラメータにより異なる機能を実行し得るかどうかにより、機能自体が決定される必要がある。
【００４６】
図３において、システムを設定する方法がさらに詳細に示される。ステップ３１０においては、ユーザーがアドレスすることを望むアイテムまたはパラメータを選択することによって、メニューに入る必要がある。これは、所定の方法において、図１に示される操作要素のうちの１つを操作することによってなされ得る。いったんメニューに入ると（すなわち、表示においてメニューがマークされ、異なるメニューのアイテムが示されると）、ユーザーは、メニューを介してスクロールし得、アドレスすることを望むパラメータを表するアイテムに進み得る（ステップ３２０）。設定動作モードに入るためには、ユーザーは、ステップ３３０において所定の方法で操作モジュールを操作し得る（例えば、表示上で、アドレスされるべきパラメータがマークされる場合、ユーザーは、所定の時間の間に所定の操作要素を押す必要があり得、このシステムは、ユーザーが一つの特定操作要素または操作要素の組み合わせを選択パラメータに割り当てることを望むことを知る）。
【００４７】
ステップ３４０では、ユーザーはさらに、選択された操作要素が割り当てられた機能を有し得るコンテキストを選択し得る（ステップ３４０はステップ２２０に対応する）。ステップ３５０においては、可能な操作要素が表示される。このステップ３５０では、この表示は、ステップ３４０において割り当てられた動作モードで、操作される場合には、パラメータまたはパラメータの値をアドレスしない操作要素を表示し得る。このシステムは、冗長な操作装置をさらに表示し得る（すなわち、この時点で２つの操作装置が、同じパラメータまたはパラメータの同じ値をアドレスする）。さらに、この表示は、操作要素または操作要素の組合せを表示し得、この表示には、操作する場合、所定のパラメータがすでに割り当てられている。このパラメータは、電子システムの設計者、または使用中のユーザーにより製造プロセス中に割り当てられ得る。それゆえ、この表示は、設計者が割り当てた操作要素とユーザーが割り当てた操作要素とをさらに区別し得る。
【００４８】
ステップ３６０において、操作要素または操作要素の組合せが選択される。これは、操作要素またはステップ３５０において表示上に示される操作要素組合せをマークすることにより可能であり、またはステップ３２０において決定されたパラメータをアドレスするために、ユーザーが使用することを望む操作要素または操作要素の組合せを押すかまたは操作することが可能である。
【００４９】
異なる操作要素は、操作要素の設計に依存した異なる操作方法を含む。操作要素がボタンである場合、このボタンは長押し、短押し、２回押しにより操作され得る。操作要素が回転される操作要素である場合、ユーザーがそれを右にまたは左に回す。このようにして、ユーザーは、ステップ３６０において選択された操作要素または操作要素の組合せがどのように使用されるべきかを、ステップ３７０において定義する必要がある。操作要素の操作方法の選択は、表示上に示される可能なものの１つを選ぶことによってなされ、この表示は、ステップ３６０において選択された操作要素を操作するための異なる可能性を示す。他の可能性は、ユーザーがパラメータまたは機能をアドレスすることを選択することを望む方法で、選択された操作要素を直接的に操作することである。
【００５０】
ステップ３５０においては、ユーザー定義された機能をすでに有する操作要素が表示される。このユーザーは、パラメータまたは機能を新たな操作要素に再度割り当て得る。さらに、操作要素がステップ３５０において表示され、その間に、２つの操作要素は同じ機能をアドレスする。それゆえ、ステップ３８０では、選択された操作要素または選択された操作要素の組合せに割り当てられた機能がすでに存在するかどうかを尋ねられる。
【００５１】
図４においては、図３において示されるフローチャートの残りが示され、さらに詳細に説明される。ステップ３６０において選ばれた選択操作要素がパラメータ（ステップ３８０においては決定ＹＥＳ）をすでにアドレスしている場合には、ステップ４１０において、新たな機能または新たなパラメータが、選択された操作要素に割り当てられるべきかどうかを尋ねられる。ユーザーが早くになされた選択を上書きすることを望む場合、図４のフローチャート中をＹＥＳで続け得る。しかし、ユーザーが、選択されたパラメータを上書きすることを望まない場合、このシステムは、「新たな機能が割り当てられました」というメッセージを表示し得る。ユーザーがＮＯを選択した場合（これは、ユーザーが割り当てられた機能を上書きすることを望まないことを意味する）、このシステムは、ステップ３５０に戻り得、ステップ３５０において、利用可能な操作要素がユーザーに表示される。次いで、ユーザーは、新たな操作要素またはパラメータ、またはステップ３２０において決定されたパラメータの値をアドレスするように操作されるべき操作要素の新たな組合せを再選択し得る。
【００５２】
機能が、ステップ３８０において選択された操作要素に割り当てられない場合、このシステムはステップ４３０を用いて続き得る。ステップ４３０においては、機能それ自体が決定される必要がある。通常、ステップ３２０においては、選択されたパラメータのためのいくらかの可能性または値が存在する。以前に議論したように、特定のラジオプログラムが選択される場合、上記ラジオプログラムによりなすべきことが決定される必要がある。これは、さらなる実施例により説明される。ステップ３２０において決定されたパラメータは交通チャンネルのアイテムである場合、どの機能が実行されるべきかを決定される必要がある。交通チャンネルパラメータの場合、ユーザーは、交通チャンネルパラメータをイネーブルし得、選択されたラジオプログラムは交通ニュース、さらには交通チャンネルをディスエーブルするパラメータを含む。ステップ４３０では、次いで、選択された操作要素または操作要素の選択された組合せを操作する場合に、現状態において、交通チャンネルのパラメータがイネーブルされる場合、所定の方法で操作要素を押す時にそのパラメータがディスエーブルされ得るように、交通チャンネルの値を切り替えるかどうか、所定の方法で、選択された操作要素を押す場合に、パラメータがいつもディスエーブルされまたはイネーブルされるかどうかを決定する必要がある。選択されたパラメータに対して異なる可能性が存在するいずれの場合にも、ユーザーは、どの可能性が選択されるべきか、またはどの機能が実行されるべきかを決定する必要がある。ステップ４３０において、いったんこの機能が決定されると、この機能は、操作要素またはステップ４４０における操作要素に割り当てられる。
【００５３】
図３および４において示されるステップにより、このユーザーは、まず初めに、パラメータまたはアドレスを望むパラメータの値を選択し得、さらには、選択されたパラメータまたは選択された値をアドレスするための操作要素の操作方法を決定し得る。
【００５４】
結論として、本発明は、乗物中で使用される電子システムをカスタマイズするのに有効である。乗物の中では、異なる操作要素を提供された空間は制限されることが多く、搭載電子システムの既存の機能および特徴は、異なるメニューを経由することによってアドレスされる必要があり、したがって、このようなシステムの操作を複雑化する。本発明によれば、ユーザーは１つのパラメータをアドレスし得、このパラメータは、重要なパラメータになり得るか、ユーザーにより決定されるべき方法で使用され得ることが多い。したがって、このユーザーはショートカットを定義し得、パラメータをアドレスし、電子システムの操作は、ユーザーにとってさらに容易に、快適になされる。
【００５５】
さらに言えば、このシステムは、異なるユーザーに対してカスタマイズされ得る。乗物入る場合、ユーザーは電子システムに、その時、どのユーザーが電子システムを操作するかを知らせ得る。結果として、この電子システムは、定義されたショートカットがこのシステム中で利用可能であるように設定され得る。他のユーザーは、他の機能に割り当てられる操作要素の他の組合せを選択し得、各ユーザーは、各々のユーザーの必要性にしたがって、電子システムを操作し得る。
【図面の簡単な説明】
【００５６】
【図１】複数の操作要素を備える搭載型電子システムの正面図を示す。
【図２】図１に示される操作要素の操作方法を決定するためのフローチャートを示す。
【図３】どのようにパラメーターを決定し、どのようにそのパラメーターを少なくとも一つの操作要素に割り当てるかについてのさらなる詳細を示す。
【図４】どのようにパラメーターを決定し、どのようにそのパラメーターを少なくとも一つの操作要素に割り当てるかについてのさらなる詳細を示す。
【符号の説明】
【００５７】
１００  搭載電子システム
１１０〜１１５  操作要素
１０１  操作モジュール
１６０  ディスプレイ
【図１】
2006117237.tif 000003
【図２】
2006117237.tif 000004
【図３】
2006117237.tif 000005
【図４】
2006117237.tif 000006